(57)【要約】【課題】相互に対面して配置される複数の薄型表示装置のうちの一の薄型表示装置に文書データを記憶させる際、目的とする文書データが記憶された薄型表示装置を利用者が手間なく取り出すことを可能にするデータ記憶方法を提供する。【解決手段】本発明のデータ記憶方法は、相互に対面して配置される複数の薄型表示装置を有する情報閲覧システムにおいて使用されるデータ記憶方法であって、文書データを一時記憶部に記憶するステップ（Ｓ１０１）と、複数の薄型表示装置のうち、当該複数の薄型表示装置の配列方向における一方の最外端に位置する一の薄型表示装置に対して、当該一の薄型表示装置の記憶部に文書データが既に記憶されている場合には当該文書データを他の薄型表示装置の記憶部に移動させ、一時記憶部に記憶された文書データを一の薄型表示装置の記憶部に記憶させる制御を行うステップ（Ｓ１０４〜Ｓ１０８）と、を有する。【選択図】図６
2013127552.tif 000002
【特許請求の範囲】
【請求項１】
相互に対面して配置される複数の薄型表示装置を有する情報閲覧システムにおいて使用されるデータ記憶方法であって、
文書データを一時記憶部に記憶するステップ（ａ）と、
前記複数の薄型表示装置のうち、当該複数の薄型表示装置の配列方向における一方の最外端に位置する一の薄型表示装置に対して、当該一の薄型表示装置の記憶部に文書データが既に記憶されている場合には当該文書データを他の薄型表示装置の記憶部に移動させ、前記ステップ（ａ）において前記一時記憶部に記憶された文書データを前記一の薄型表示装置の記憶部に記憶させる制御を行うステップ（ｂ）と、
を有することを特徴とするデータ記憶方法。
【請求項２】
前記他の薄型表示装置は、前記一の薄型表示装置に隣接する薄型表示装置であり、
前記ステップ（ｂ）において、前記複数の薄型表示装置のそれぞれについて、各薄型表示装置の記憶部に文書データが既に記憶されている場合には、当該薄型表示装置に対して前記配列方向の他方の最外端側に隣接する薄型表示装置の記憶部に当該文書データを移動させる制御がさらに行われることを特徴とする請求項１に記載のデータ記憶方法。
【請求項３】
前記他の薄型表示装置は、前記複数の薄型表示装置のうち前記配列方向の他方の最外端に位置する薄型表示装置であり、
前記ステップ（ｂ）において、前記複数の薄型表示装置のそれぞれについて、各薄型表示装置の記憶部に文書データが既に記憶されている場合には、前記他方の最外端に位置する薄型表示装置の記憶部に当該文書データを移動させる制御がさらに行われることを特徴とする請求項１に記載のデータ記憶方法。
【請求項４】
前記文書データの移動先となる薄型表示装置の記憶部の記憶容量が上限値に達する場合、または、前記移動先となる薄型表示装置が存在しない場合、前記文書データは、移動元の薄型表示装置の記憶部に維持されることを特徴とする請求項１〜３のいずれか１項に記載のデータ記憶方法。
【請求項５】
前記ステップ（ａ）において前記一時記憶部に記憶された文書データのデータサイズが、前記一の薄型表示装置の記憶部の記憶容量を超える場合、当該記憶容量を超える分の文書データは、当該薄型表示装置に隣接する薄型表示装置の記憶部に記憶されることを特徴とする請求項１〜４のいずれか１項に記載のデータ記憶方法。
【請求項６】
前記文書データの移動先となる薄型表示装置が、当該文書データの解像度またはカラー属性に非対応の薄型表示装置である場合、前記文書データは、移動元の薄型表示装置の記憶部に維持される、または、当該文書データの解像度またはカラー属性に対応する薄型表示装置の記憶部に移動されることを特徴とする請求項１〜５のいずれか１項に記載のデータ記憶方法。
【請求項７】
前記複数の薄型表示装置の中に利用制限が設定されている薄型表示装置が存在する場合、当該利用制限が設定されている薄型表示装置を飛ばして文書データの移動が行われることを特徴とする請求項１〜６のいずれか１項に記載のデータ記憶方法。
【請求項８】
複数の薄型表示装置を相互に対面するように保持する薄型表示装置の保持装置であって、
外部から送信される文書データを受信する受信部と、
前記複数の薄型表示装置のうち、当該複数の薄型表示装置の配列方向における一方の最外端に位置する一の薄型表示装置に対して、当該一の薄型表示装置の記憶部に文書データが既に記憶されている場合には当該文書データを他の薄型表示装置の記憶部に移動させ、前記受信部により受信される文書データを前記一の薄型表示装置の記憶部に記憶させる制御を行う制御部と、
を有することを特徴とする薄型表示装置の保持装置。
【請求項９】
前記他の薄型表示装置は、前記一の薄型表示装置に隣接する薄型表示装置であり、
前記制御部は、前記複数の薄型表示装置のそれぞれについて、各薄型表示装置の記憶部に文書データが既に記憶されている場合には、当該薄型表示装置に対して前記配列方向の他方の最外端側に隣接する薄型表示装置の記憶部に当該文書データを移動させる制御をさらに行うことを特徴とする請求項８に記載の薄型表示装置の保持装置。
【請求項１０】
前記他の薄型表示装置は、前記複数の薄型表示装置のうち前記配列方向の他方の最外端に位置する薄型表示装置であり、
前記制御部は、前記複数の薄型表示装置のそれぞれについて、各薄型表示装置の記憶部に文書データが既に記憶されている場合には、前記他方の最外端に位置する薄型表示装置の記憶部に当該文書データを移動させる制御をさらに行うことを特徴とする請求項８に記載の薄型表示装置の保持装置。
【請求項１１】
前記文書データの移動先となる薄型表示装置の記憶部の記憶容量が上限値に達する場合、または、前記移動先となる薄型表示装置が存在しない場合、前記文書データは、移動元の薄型表示装置の記憶部に維持されることを特徴とする請求項８〜１０のいずれか１項に記載の薄型表示装置の保持装置。
【請求項１２】
前記受信部により受信される文書データのデータサイズが、前記一の薄型表示装置の記憶部の記憶容量を超える場合、当該記憶容量を超える分の文書データは、当該薄型表示装置に隣接する薄型表示装置の記憶部に記憶されることを特徴とする請求項８〜１１のいずれか１項に記載の薄型表示装置の保持装置。
【請求項１３】
前記文書データの移動先となる薄型表示装置が、当該文書データの解像度またはカラー属性に非対応の薄型表示装置である場合、前記文書データは、移動元の薄型表示装置の記憶部に維持される、または、当該文書データの解像度またはカラー属性に対応する薄型表示装置の記憶部に移動されることを特徴とする請求項８〜１２のいずれか１項に記載の薄型表示装置の保持装置。
【請求項１４】
前記複数の薄型表示装置の中に利用制限が設定されている薄型表示装置が存在する場合、当該利用制限が設定されている薄型表示装置を飛ばして文書データの移動が行われることを特徴とする請求項８〜１３のいずれか１項に記載の薄型表示装置の保持装置。
【請求項１５】
相互に対面して配置される複数の薄型表示装置を有する情報閲覧システムにおいて使用される前記薄型表示装置であって、
文書データを記憶するための記憶部と、
前記記憶部に記憶されている文書データに基づく画像を表示する表示部と、
外部から送信される文書データを受信する受信部と、
前記記憶部に記憶されている文書データを他の薄型表示装置に送信する送信部と、
自己の薄型表示装置の第１面側に他の薄型表示装置が存在するか否かを判断する判断部と、
前記記憶部に文書データが既に記憶されていれば当該文書データを前記送信部により自己の薄型表示装置の第２面側に存在する他の薄型表示装置に送信させるとともに、前記判断部により前記第１面側に他の薄型表示装置が存在しないと判断される場合、前記受信部により受信される文書データを前記記憶部に記憶させる制御を行う制御部と、
を有することを特徴とする薄型表示装置。
【請求項１６】
前記第２面側に存在する他の薄型表示装置は、前記自己の薄型表示装置の前記第２面側に隣接する薄型表示装置であり、
前記複数の薄型表示装置のそれぞれについて、各薄型表示装置の記憶部に文書データが既に記憶されている場合には、当該薄型表示装置に対して前記第２面側に隣接する薄型表示装置の記憶部に当該文書データを移動させる制御が行われることを特徴とする請求項１５に記載の薄型表示装置。
【請求項１７】
前記第２面側に存在する他の薄型表示装置は、前記複数の薄型表示装置のうち前記第２面側の最外端に位置する薄型表示装置であり、
前記複数の薄型表示装置のそれぞれについて、各薄型表示装置の記憶部に文書データが既に記憶されている場合には、前記最外端に位置する薄型表示装置の記憶部に当該文書データを移動させる制御が行われることを特徴とする請求項１５に記載の薄型表示装置。
【請求項１８】
前記文書データの移動先となる薄型表示装置の記憶部の記憶容量が上限値に達する場合、または、前記移動先となる薄型表示装置が存在しない場合、前記文書データは、移動元の薄型表示装置の記憶部に維持されることを特徴とする請求項１５〜１７のいずれか１項に記載の薄型表示装置。
【請求項１９】
前記受信部により受信される文書データのデータサイズが、前記自己の薄型表示装置の前記記憶部の記憶容量を超える場合、当該記憶容量を超える分の文書データは、前記自己の薄型表示装置に隣接する薄型表示装置の記憶部に記憶されることを特徴とする請求項１５〜１８のいずれか１項に記載の薄型表示装置。
【請求項２０】
前記文書データの移動先となる薄型表示装置が、当該文書データの解像度またはカラー属性に非対応の薄型表示装置である場合、前記文書データは、移動元の薄型表示装置の記憶部に維持される、または、当該文書データの解像度またはカラー属性に対応する薄型表示装置の記憶部に移動されることを特徴とする請求項１５〜１９のいずれか１項に記載の薄型表示装置。
【請求項２１】
前記複数の薄型表示装置の中に利用制限が設定されている薄型表示装置が存在する場合、当該利用制限が設定されている薄型表示装置を飛ばして文書データの移動が行われることを特徴とする請求項１５〜２０のいずれか１項に記載の薄型表示装置。
【発明の詳細な説明】
【技術分野】
【０００１】
本発明は、データ記憶方法、薄型表示装置の保持装置、および薄型表示装置に関する。
【背景技術】
【０００２】
ＭＦＰ（Ｍｕｌｔｉ−Ｆｕｎｃｔｉｏｎ  Ｐｅｒｉｐｈｅｒａｌ）等の画像形成装置により生成される印刷用の画像データを、電子ペーパーに出力する技術が知られている（たとえば、特許文献１）。この技術では、ＭＦＰ近傍に保管される電子ペーパーにＭＦＰから画像データが送信され、電子ペーパーのメモリに画像データが記憶される。
【０００３】
複数の電子ペーパーがＭＦＰ近傍に重ねて保管されている場合、たとえば、利用者により一の電子ペーパーに対応する識別情報が指定され、指定された識別情報に対応する電子ペーパーにＭＦＰから画像データが送信される。そして、利用者は、複数重ねられた電子ペーパーの中から、指定した識別情報に対応する電子ペーパーを探し出して持って行く。
【０００４】
これに関連する技術として、下記の特許文献２には、複数重ねられた電子ペーパーに画像データを送信する際、一番上の電子ペーパーに目次ページを表示させ、２番目以降の電子ペーパーに画像を表示させる技術が提案されている。この技術によれば、一番上の電子ペーパーを参照することにより、利用者は、目的とする画像が表示される電子ペーパーの位置を把握することができるため、所望の電子ペーパーを比較的容易に探すことができる。
【０００５】
しかしながら、上記の技術では、利用者は、目的とする画像が表示される電子ペーパーまで、電子ペーパーをめくったり、電子ペーパーの数を数えたりする必要があり、手間がかかる。
【先行技術文献】
【特許文献】
【０００６】
【特許文献１】特開２０１１−１９２１８８号公報
【特許文献２】特開２００８−０４６５７７号公報
【発明の概要】
【発明が解決しようとする課題】
【０００７】
本発明は、上述した課題に鑑みてなされたものである。したがって、本発明の目的は、相互に対面して配置される複数の薄型表示装置のうちの一の薄型表示装置に文書データを記憶させる際、複数の薄型表示装置の中から、目的とする文書データが記憶された薄型表示装置を利用者が手間なく取り出すことを可能にするデータ記憶方法、薄型表示装置の保持装置、および薄型表示装置を提供することである。
【課題を解決するための手段】
【０００８】
本発明の上記目的は、下記の手段によって達成される。
【０００９】
（１）相互に対面して配置される複数の薄型表示装置を有する情報閲覧システムにおいて使用されるデータ記憶方法であって、文書データを一時記憶部に記憶するステップ（ａ）と、前記複数の薄型表示装置のうち、当該複数の薄型表示装置の配列方向における一方の最外端に位置する一の薄型表示装置に対して、当該一の薄型表示装置の記憶部に文書データが既に記憶されている場合には当該文書データを他の薄型表示装置の記憶部に移動させ、前記ステップ（ａ）において前記一時記憶部に記憶された文書データを前記一の薄型表示装置の記憶部に記憶させる制御を行うステップ（ｂ）と、を有することを特徴とするデータ記憶方法。
【００１０】
（２）前記他の薄型表示装置は、前記一の薄型表示装置に隣接する薄型表示装置であり、前記ステップ（ｂ）において、前記複数の薄型表示装置のそれぞれについて、各薄型表示装置の記憶部に文書データが既に記憶されている場合には、当該薄型表示装置に対して前記配列方向の他方の最外端側に隣接する薄型表示装置の記憶部に当該文書データを移動させる制御がさらに行われることを特徴とする上記（１）に記載のデータ記憶方法。
【００１１】
（３）前記他の薄型表示装置は、前記複数の薄型表示装置のうち前記配列方向の他方の最外端に位置する薄型表示装置であり、前記ステップ（ｂ）において、前記複数の薄型表示装置のそれぞれについて、各薄型表示装置の記憶部に文書データが既に記憶されている場合には、前記他方の最外端に位置する薄型表示装置の記憶部に当該文書データを移動させる制御がさらに行われることを特徴とする上記（１）に記載のデータ記憶方法。
【００１２】
（４）前記文書データの移動先となる薄型表示装置の記憶部の記憶容量が上限値に達する場合、または、前記移動先となる薄型表示装置が存在しない場合、前記文書データは、移動元の薄型表示装置の記憶部に維持されることを特徴とする上記（１）〜（３）のいずれか１つに記載のデータ記憶方法。
【００１３】
（５）前記ステップ（ａ）において前記一時記憶部に記憶された文書データのデータサイズが、前記一の薄型表示装置の記憶部の記憶容量を超える場合、当該記憶容量を超える分の文書データは、当該薄型表示装置に隣接する薄型表示装置の記憶部に記憶されることを特徴とする上記（１）〜（４）のいずれか１つに記載のデータ記憶方法。
【００１４】
（６）前記文書データの移動先となる薄型表示装置が、当該文書データの解像度またはカラー属性に非対応の薄型表示装置である場合、前記文書データは、移動元の薄型表示装置の記憶部に維持される、または、当該文書データの解像度またはカラー属性に対応する薄型表示装置の記憶部に移動されることを特徴とする上記（１）〜（５）のいずれか１つに記載のデータ記憶方法。
【００１５】
（７）前記複数の薄型表示装置の中に利用制限が設定されている薄型表示装置が存在する場合、当該利用制限が設定されている薄型表示装置を飛ばして文書データの移動が行われることを特徴とする上記（１）〜（６）のいずれか１つに記載のデータ記憶方法。
【００１６】
（８）複数の薄型表示装置を相互に対面するように保持する薄型表示装置の保持装置であって、外部から送信される文書データを受信する受信部と、前記複数の薄型表示装置のうち、当該複数の薄型表示装置の配列方向における一方の最外端に位置する一の薄型表示装置に対して、当該一の薄型表示装置の記憶部に文書データが既に記憶されている場合には当該文書データを他の薄型表示装置の記憶部に移動させ、前記受信部により受信される文書データを前記一の薄型表示装置の記憶部に記憶させる制御を行う制御部と、を有することを特徴とする薄型表示装置の保持装置。
【００１７】
（９）前記他の薄型表示装置は、前記一の薄型表示装置に隣接する薄型表示装置であり、前記制御部は、前記複数の薄型表示装置のそれぞれについて、各薄型表示装置の記憶部に文書データが既に記憶されている場合には、当該薄型表示装置に対して前記配列方向の他方の最外端側に隣接する薄型表示装置の記憶部に当該文書データを移動させる制御をさらに行うことを特徴とする上記（８）に記載の薄型表示装置の保持装置。
【００１８】
（１０）前記他の薄型表示装置は、前記複数の薄型表示装置のうち前記配列方向の他方の最外端に位置する薄型表示装置であり、前記制御部は、前記複数の薄型表示装置のそれぞれについて、各薄型表示装置の記憶部に文書データが既に記憶されている場合には、前記他方の最外端に位置する薄型表示装置の記憶部に当該文書データを移動させる制御をさらに行うことを特徴とする上記（８）に記載の薄型表示装置の保持装置。
【００１９】
（１１）前記文書データの移動先となる薄型表示装置の記憶部の記憶容量が上限値に達する場合、または、前記移動先となる薄型表示装置が存在しない場合、前記文書データは、移動元の薄型表示装置の記憶部に維持されることを特徴とする上記（８）〜（１０）のいずれか１つに記載の薄型表示装置の保持装置。
【００２０】
（１２）前記受信部により受信される文書データのデータサイズが、前記一の薄型表示装置の記憶部の記憶容量を超える場合、当該記憶容量を超える分の文書データは、当該薄型表示装置に隣接する薄型表示装置の記憶部に記憶されることを特徴とする上記（８）〜（１１）のいずれか１つに記載の薄型表示装置の保持装置。
【００２１】
（１３）前記文書データの移動先となる薄型表示装置が、当該文書データの解像度またはカラー属性に非対応の薄型表示装置である場合、前記文書データは、移動元の薄型表示装置の記憶部に維持される、または、当該文書データの解像度またはカラー属性に対応する薄型表示装置の記憶部に移動されることを特徴とする上記（８）〜（１２）のいずれか１つに記載の薄型表示装置の保持装置。
【００２２】
（１４）前記複数の薄型表示装置の中に利用制限が設定されている薄型表示装置が存在する場合、当該利用制限が設定されている薄型表示装置を飛ばして文書データの移動が行われることを特徴とする上記（８）〜（１３）のいずれか１つに記載の薄型表示装置の保持装置。
【００２３】
（１５）相互に対面して配置される複数の薄型表示装置を有する情報閲覧システムにおいて使用される前記薄型表示装置であって、文書データを記憶するための記憶部と、前記記憶部に記憶されている文書データに基づく画像を表示する表示部と、外部から送信される文書データを受信する受信部と、前記記憶部に記憶されている文書データを他の薄型表示装置に送信する送信部と、自己の薄型表示装置の第１面側に他の薄型表示装置が存在するか否かを判断する判断部と、前記記憶部に文書データが既に記憶されていれば当該文書データを前記送信部により自己の薄型表示装置の第２面側に存在する他の薄型表示装置に送信させるとともに、前記判断部により前記第１面側に他の薄型表示装置が存在しないと判断される場合、前記受信部により受信される文書データを前記記憶部に記憶させる制御を行う制御部と、を有することを特徴とする薄型表示装置。
【００２４】
（１６）前記第２面側に存在する他の薄型表示装置は、前記自己の薄型表示装置の前記第２面側に隣接する薄型表示装置であり、前記複数の薄型表示装置のそれぞれについて、各薄型表示装置の記憶部に文書データが既に記憶されている場合には、当該薄型表示装置に対して前記第２面側に隣接する薄型表示装置の記憶部に当該文書データを移動させる制御が行われることを特徴とする上記（１５）に記載の薄型表示装置。
【００２５】
（１７）前記第２面側に存在する他の薄型表示装置は、前記複数の薄型表示装置のうち前記第２面側の最外端に位置する薄型表示装置であり、前記複数の薄型表示装置のそれぞれについて、各薄型表示装置の記憶部に文書データが既に記憶されている場合には、前記最外端に位置する薄型表示装置の記憶部に当該文書データを移動させる制御が行われることを特徴とする上記（１５）に記載の薄型表示装置。
【００２６】
（１８）前記文書データの移動先となる薄型表示装置の記憶部の記憶容量が上限値に達する場合、または、前記移動先となる薄型表示装置が存在しない場合、前記文書データは、移動元の薄型表示装置の記憶部に維持されることを特徴とする上記（１５）〜（１７）のいずれか１つに記載の薄型表示装置。
【００２７】
（１９）前記受信部により受信される文書データのデータサイズが、前記自己の薄型表示装置の前記記憶部の記憶容量を超える場合、当該記憶容量を超える分の文書データは、前記自己の薄型表示装置に隣接する薄型表示装置の記憶部に記憶されることを特徴とする上記（１５）〜（１８）のいずれか１つに記載の薄型表示装置。
【００２８】
（２０）前記文書データの移動先となる薄型表示装置が、当該文書データの解像度またはカラー属性に非対応の薄型表示装置である場合、前記文書データは、移動元の薄型表示装置の記憶部に維持される、または、当該文書データの解像度またはカラー属性に対応する薄型表示装置の記憶部に移動されることを特徴とする上記（１５）〜（１９）のいずれか１つに記載の薄型表示装置。
【００２９】
（２１）前記複数の薄型表示装置の中に利用制限が設定されている薄型表示装置が存在する場合、当該利用制限が設定されている薄型表示装置を飛ばして文書データの移動が行われることを特徴とする上記（１５）〜（２０）のいずれか１つに記載の薄型表示装置。
【発明の効果】
【００３０】
本発明によれば、利用者が最も取りやすい位置に存在する薄型表示装置に文書データが記憶されるため、相互に対面して配置される複数の薄型表示装置の中から、目的とする文書データが記憶された薄型表示装置を利用者が手間なく取り出すことが可能になる。
【図面の簡単な説明】
【００３１】
【図１】本発明の第１の実施形態に係る情報閲覧システムの構成を示す概略図である。
【図２】図１に示されるドックの構成を示す概略斜視図である。
【図３】図１に示されるＭＦＰの構成を示すブロック図である。
【図４】図１に示されるドックの構成を示すブロック図である。
【図５】図２に示される電子ペーパーの構成を示すブロック図である。
【図６】ドックにより実行されるデータ記憶処理の手順を示すフローチャートである。
【図７】ドックによるデータ記憶処理を説明するための図である。
【図８】変形例に係るデータ記憶処理の手順を示すフローチャートである。
【図９】本発明の第２の実施形態に係る情報閲覧システムの構成を示す概略図である。
【図１０】電子ペーパーにより実行される第１データ記憶処理の手順を示すフローチャートである。
【図１１】電子ペーパーにより実行される第２データ記憶処理の手順を示すフローチャートである。
【図１２】電子ペーパーにより実行される第３データ記憶処理の手順を示すフローチャートである。
【発明を実施するための形態】
【００３２】
以下、図面を参照して、本発明の実施形態を詳細に説明する。
【００３３】
（第１の実施形態）
図１は、本発明の第１の実施形態に係る情報閲覧システムの構成を示す概略図であり、図２は、図１に示されるドック２の構成を示す概略斜視図である。
【００３４】
図１および図２に示されるとおり、本実施形態に係る情報閲覧システムは、ＭＦＰ１と、ドック２と、複数の電子ペーパー（薄型表示装置）３ａ〜３ｆとを備えている。ＭＦＰ１とドック２とは、ネットワーク４を介して相互に通信可能に接続されている。複数の電子ペーパー３ａ〜３ｆは、ドック２に備えられたスロット２ａ〜２ｆに装着され、相互に対面して等間隔に配置されている。ネットワーク４は、イーサネット（登録商標）、トークンリング、ＦＤＤＩ（Ｆｉｂｅｒ  Ｄｉｓｔｒｉｂｕｔｅｄ  Ｄａｔａ  Ｉｎｔｅｒｆａｃｅ）等の規格によりコンピューターやネットワーク機器同士を接続したＬＡＮ（Ｌｏｃａｌ  Ａｒｅａ  Ｎｅｔｗｏｒｋ）、あるいはＬＡＮ同士を専用線で接続したＷＡＮ（Ｗｉｄｅ  Ａｒｅａ  Ｎｅｔｗｏｒｋ）等からなる。なお、ネットワーク４に接続される機器の種類および台数は、図１に示す例に限定されない。また、ドック２に接続される電子ペーパーの台数も、６台に限定されるものではない。また、ＭＦＰ１とドック２とは、ネットワーク４を介することなく直接機器間で接続（ローカル接続）されていてもよい。
【００３５】
図３は、ＭＦＰ１の構成を示すブロック図である。ＭＦＰ１は、ＣＰＵ（Ｃｅｎｔｒａｌ  Ｐｒｏｃｅｓｓｉｎｇ  Ｕｎｉｔ）１１、メモリ１２、ハードディスク１３、操作パネル１４、画像読取部１５、画像形成部１６、およびネットワークＩ／Ｆ部１７を含み、これらは信号をやり取りするためのバス１８を介して相互に接続されている。
【００３６】
ＣＰＵ１１は、プログラムにしたがって、上記各部の制御や各種の演算処理を行う。メモリ１２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、電気的に書き換え可能な不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等からなる。ハードディスク１３は、ＭＦＰ１の基本動作を制御する各種プログラムや各種データを格納する。
【００３７】
操作パネル１４は、タッチパネル、テンキー、スタートボタン、ストップボタン等を備えており、各種情報の表示および各種指示の入力に使用される。
【００３８】
画像読取部１５は、所定の読み取り位置にセットされた原稿またはＡＤＦ（Ａｕｔｏ  Ｄｏｃｕｍｅｎｔ  Ｆｅｅｄｅｒ）により所定の読み取り位置に搬送された原稿に蛍光ランプ等の光源で光を当て、その反射光をＣＣＤ（Ｃｈａｒｇｅ  Ｃｏｕｐｌｅｄ  Ｄｅｖｉｃｅ）イメージセンサー等の撮像装置により光電変換して、その電気信号から画像データを生成する。
【００３９】
画像形成部１６は、電子写真式プロセス等の周知の作像プロセスを用いて、画像データに基づく画像を用紙等の記録媒体に形成する。
【００４０】
ネットワークＩ／Ｆ部１７は、ネットワーク４を介して他の機器と通信するためのインターフェースであり、イーサネット（登録商標）、トークンリング、ＦＤＤＩ等の規格が用いられる。
【００４１】
図４は、ドック２の構成を示すブロック図である。ドック２は、電子ペーパー３ａ〜３ｆの保持装置として、ＣＰＵ２１、メモリ２２、電子ペーパー充電部２３、電子ペーパーＩ／Ｆ部２４、およびネットワークＩ／Ｆ部２５を含み、これらは信号をやり取りするためのバス２６を介して相互に接続されている。なお、ドック２の上記各部のうち、ＭＦＰ１の上記各部と同様の機能を有する部分については、説明の重複を避けるためその説明を省略する。
【００４２】
電子ペーパー充電部２３は、スロット２ａ〜２ｆに装着される電子ペーパー３ａ〜３ｆに電力を供給して各電子ペーパー３ａ〜３ｆに内蔵の電池を充電する。
【００４３】
電子ペーパーＩ／Ｆ部２４は、スロット２ａ〜２ｆに装着される電子ペーパー３ａ〜３ｆと通信するためのインターフェースである。
【００４４】
図５は、電子ペーパー３ａ〜３ｆの構成を示すブロック図である。電子ペーパー３ａ〜３ｆは、相互に同様の構成であるため、以下、電子ペーパー３ａを代表として用いて説明する。
【００４５】
電子ペーパー３ａは、薄型表示装置として、ＣＰＵ３１、メモリ３２、表示部３３、操作部３４、電池３５、および外部Ｉ／Ｆ部３６を含み、これらは信号をやり取りするためのバス３７を介して相互に接続されている。なお、電子ペーパー３ａの上記各部のうち、ＭＦＰ１の上記各部と同様の機能を有する部分については、説明の重複を避けるためその説明を省略する。
【００４６】
表示部３３は、各種情報を表示するディスプレイであり、マイクロカプセル方式、電子粉流体方式、電気泳動方式、液晶方式、および有機ＥＬ方式等の各種方式が利用される。
【００４７】
操作部３４は、ボタンやスイッチを備えており、各種情報の表示および各種指示の入力に使用される。
【００４８】
電池３５は、充放電可能な二次電池であり、電子ペーパー３ａの上記各部に電力を供給する。外部Ｉ／Ｆ部３６は、ドック２と通信するためのインターフェースである。
【００４９】
なお、ＭＦＰ１、ドック２、および電子ペーパー３ａ〜３ｆは、上述した構成要素以外の構成要素を含んでいてもよく、あるいは、上述した構成要素のうちの一部が含まれていなくてもよい。
【００５０】
以上のとおり構成される本実施形態の情報閲覧システムでは、ＭＦＰ１からドック２に文書データが送信される場合、ドック２に保持されている複数の電子ペーパー３ａ〜３ｆのうち、複数の電子ペーパー３ａ〜３ｆの配列方向における一方の最外端に位置する電子ペーパー３ａに文書データが記憶される。なお、ドック２には、ドック２の手前から奥に向かって、電子ペーパー３ａ、電子ペーパー３ｂ、電子ペーパー３ｃ、電子ペーパー３ｄ、電子ペーパー３ｅ、および電子ペーパー３ｆの順に複数の電子ペーパー３ａ〜３ｆが配列されている。複数の電子ペーパー３ａ〜３ｆは、表示部３３が手前側を向くように配置されており、各電子ペーパーの表示部３３は、隣接する電子ペーパーの背面と対向している。以下では、複数の電子ペーパーのうち、ドック２の一番手前に位置する電子ペーパー３ａを「最前面」の電子ペーパーと称し、ドック２の一番奥に位置する電子ペーパー３ｆを「一番奥」の電子ペーパーと称する。以下、図６および図７を参照して、ドック２の動作について説明する。
【００５１】
図６は、ドック２により実行されるデータ記憶処理の手順を示すフローチャートである。なお、図６のフローチャートにより示されるアルゴリズムは、ドック２のメモリ２２にプログラムとして記憶されており、ＣＰＵ２１によって実行される。
【００５２】
まず、文書データが受信される（ステップＳ１０１）。本実施形態では、たとえば、ＭＦＰ１の画像読取部１５により原稿の画像を読み取って得られた画像データや印刷データを解析して得られた画像データがＭＦＰ１からドック２に送信され、当該画像データが文書データとして受信される。受信された文書データは、メモリ２２に一時的に記憶される。
【００５３】
続いて、電子ペーパーの接続状態が確認される（ステップＳ１０２）。本実施形態では、ドック２のスロット２ａ〜２ｆに装着されてドック２と接続されている電子ペーパーが確認される。
【００５４】
続いて、複数の電子ペーパーが接続されているか否かが判断される（ステップＳ１０３）。本実施形態では、ステップＳ１０２に示す処理の確認結果にしたがって、複数の電子ペーパーがドック２に接続されているか否かが判断される。
【００５５】
複数の電子ペーパーが接続されていないと判断される場合（ステップＳ１０３：ＮＯ）、電子ペーパーに文書データが送信され（ステップＳ１０８）、処理が終了される。本実施形態では、ドック２には一つの電子ペーパーのみ接続されているとして、当該一つの電子ペーパーに、ステップＳ１０１に示す処理で受信された文書データが送信される。送信された文書データは、電子ペーパーのメモリに記憶される。
【００５６】
一方、ステップＳ１０３に示す処理において、複数の電子ペーパーが接続されていると判断される場合（ステップＳ１０３：ＹＥＳ）、各電子ペーパーが保持している文書データを一つ奥の電子ペーパーに移動させる制御が開始される（ステップＳ１０４）。本実施形態では、奥から２番目の電子ペーパー３ｅから最前面の電子ペーパー３ａまで順番に、各電子ペーパーのメモリに既に記憶されている文書データを、各電子ペーパーの背面側に隣接する電子ペーパーのメモリに移動させる制御が開始される。より具体的には、以下の（ｉ）〜（ｖ）の処理を順番に実行する移動制御が開始される。
【００５７】
（ｉ）奥から２番目の電子ペーパー３ｅのメモリに既に記憶されている文書データを一番奥の電子ペーパー３ｆのメモリに移動する。（ｉｉ）奥から３番目の電子ペーパー３ｄのメモリに既に記憶されている文書データを、奥から２番目の電子ペーパー３ｅのメモリに移動する。（ｉｉｉ）奥から４番目の電子ペーパー３ｃのメモリに既に記憶されている文書データを、奥から３番目の電子ペーパー３ｄのメモリに移動する。（ｉｖ）奥から５番目（手前から２番目）の電子ペーパー３ｂのメモリに既に記憶されている文書データを、奥から４番目の電子ペーパー３ｃのメモリに移動する。（ｖ）最前面の電子ペーパー３ａのメモリに既に記憶されている文書データを、手前から２番目の電子ペーパー３ｂのメモリに移動する。なお、一番奥の電子ペーパー３ｆのメモリ３２に既に記憶されている文書データは、当該電子ペーパー３ｆに維持される。
【００５８】
続いて、電子ペーパーの容量が上限値に達したか否かが判断される（ステップＳ１０５）。本実施形態では、奥から２番目の電子ペーパー３ｅから最前面の電子ペーパー３ａまで順番に行われる文書データの移動制御において、一の電子ペーパーのメモリの容量が上限値に達する状況が発生したか否かが判断される。
【００５９】
電子ペーパーの容量が上限値に達していないと判断される場合（ステップＳ１０５：ＮＯ）、ステップＳ１０７の処理に移行する。
【００６０】
一方、電子ペーパーの容量が上限値に達したと判断される場合（ステップＳ１０５：ＹＥＳ）、容量が足りない分の文書データについては移動が中止され、残りの電子ペーパーについて文書データを移動させる制御が継続される（ステップＳ１０６）。本実施形態では、メモリの容量が上限値に達している電子ペーパーについて、一つ手前の電子ペーパーからの残りの文書データの移動が中止される。たとえば、一つ手前の電子ペーパーのメモリに２つの文書データが記憶されており、一の文書データを移動した時点で移動先の電子ペーパーのメモリの容量が上限値に達した場合、他の文書データは移動されずに一つ手前の電子ペーパーに維持される。そして、残りの電子ペーパーについて、各電子ペーパーのメモリに既に記憶されている文書データを一つ奥の電子ペーパーに移動させる制御が継続して行われる。
【００６１】
続いて、文書データの移動が完了したか否かが判断される（ステップＳ１０７）。本実施形態では、奥から２番目の電子ペーパー３ｅから最前面の電子ペーパー３ａまで、各電子ペーパーのメモリに既に記憶されている文書データを一つ奥の電子ペーパーに順番に移動させる制御が完了したか否かが判断される。
【００６２】
文書データの移動が完了していないと判断される場合（ステップＳ１０７：ＮＯ）、ステップＳ１０５の処理に戻る。
【００６３】
一方、文書データの移動が完了したと判断される場合（ステップＳ１０７：ＹＥＳ）、最前面の電子ペーパーに文書データが送信され（ステップＳ１０８）、処理が終了される。本実施形態では、ステップＳ１０１に示す処理で受信された文書データが、相互に対面して配置される複数の電子ペーパー３ａ〜３ｆのうち最前面の電子ペーパー３ａに送信される。送信された文書データは、電子ペーパー３ａのメモリ３２に記憶される。
【００６４】
以上のとおり、図６に示されるフローチャートの処理によれば、ＭＦＰ１から送信された文書データが受信される場合、各電子ペーパーのメモリに既に記憶されている文書データが、一つ奥の電子ペーパーのメモリに移動される。そして、最前面の電子ペーパー３ａのメモリ３２に、受信された文書データが記憶される。
【００６５】
このような構成によれば、利用者が最も取りやすい最前面の電子ペーパー３ａに文書データが記憶されるため、利用者は、ドック２に保持されている複数の電子ペーパーの中から、目的とする文書データが記憶された一の電子ペーパーを手間なく取り出して持って行くことができる。また、ドック２に文書データが送信されれば、最前面の電子ペーパー３ａに文書データが自動的に記憶されるため、利用者が電子ペーパーの位置を考慮して、送信先の電子ペーパーを指定する必要がない。
【００６６】
また、最前面の電子ペーパー３ａに既に記憶されていた文書データは、一つ奥の電子ペーパー３ｂに移動されるため、利用者が、誤って他人の文書データを持って行ってしまうことが防止される。加えて、最前面の電子ペーパー３ａのメモリ３２の記憶領域が確保されるため、データサイズの大きい文書データを記憶することが可能になる。
【００６７】
なお、図６のステップＳ１０１に示す処理で受信された文書データのデータサイズが、最前面の電子ペーパー３ａのメモリ３２の容量を超える場合、容量を超える分の文書データは、一つ奥の電子ペーパー３ｂのメモリ３２に記憶される。たとえば、図７（Ａ）に示されるとおり、文書データが７００ページのデータであり、かつ、最前面の電子ペーパー３ａのメモリ３２が５００ページ分の文書データを記憶した時点で上限値に達した場合、５００ページ目以降の文書データは、一つ奥の電子ペーパー３ｂのメモリ３２に記憶される。
【００６８】
また、ドック２に保持される複数の電子ペーパー３ａ〜３ｆの中に、ユーザー制限が設定されている電子ペーパーが存在する場合には、ユーザー制限が設定されている電子ペーパーを飛ばして文書データの移動が行われる。たとえば、図７（Ｂ）に示されるとおり、手前から３番目の電子ペーパー３ｃにユーザー制限が設定されている場合、手前から３番目の電子ペーパー３ｃに記憶されていた文書データは移動されずに、手前から２番目の電子ペーパー３ｂに既に記憶されていた文書データが、手前から４番目の電子ペーパー３ｄに移動される。
【００６９】
また、文書データの移動先となる電子ペーパーのカラー属性または解像度が、移動される文書データのカラー属性または解像度に非対応の場合には、対応する電子ペーパーに文書データが移動され、対応する電子ペーパーが存在しない場合には、文書データは移動されずに元の電子ペーパーに維持される。たとえば、図７（Ｃ）に示されるとおり、複数の電子ペーパー３ａ〜３ｆのうちの一の電子ペーパー３ｃのみがカラー表示に対応しており、かつ、当該電子ペーパー３ｃにカラーの文書データが記憶されている場合、カラーの文書データは電子ペーパー３ｃに維持される。
【００７０】
（変形例）
上述した実施形態では、文書データをドック２が受信した場合、各電子ペーパーに既に記憶されていた文書データは、一つ奥の電子ペーパーにそれぞれ移動された。しかしながら、各電子ペーパーに既に記憶されていた文書データは、一番奥の電子ペーパーに移動されてまとめられてもよい。
【００７１】
図８は、変形例に係るデータ記憶処理の手順を示すフローチャートである。ステップＳ２０１〜Ｓ２０３に示す処理は、図６のステップＳ１０１〜Ｓ１０３に示す処理と同様であるため、説明は省略する。
【００７２】
ステップＳ２０３に示す処理において、複数の電子ペーパーが接続されていると判断される場合（ステップＳ２０３：ＹＥＳ）、各電子ペーパーが保持している文書データを一番奥の電子ペーパーに移動させる制御が開始される（ステップＳ２０４）。本変形例では、最前面の電子ペーパー３ａから、奥から２番目の電子ペーパー３ｅまで順番に、各電子ペーパーのメモリに既に記憶されている文書データを一番奥の電子ペーパー３ｆに移動させる制御が開始される。より具体的には、以下の（ｉ）〜（ｖ）の処理を順番に実行する移動制御が開始される。
【００７３】
（ｉ）最前面の電子ペーパー３ａのメモリに既に記憶されている文書データを一番奥の電子ペーパー３ｆのメモリに移動する。（ｉｉ）手前から２番目の電子ペーパー３ｂのメモリに既に記憶されている文書データを一番奥の電子ペーパー３ｆのメモリに移動する。（ｉｉｉ）手前から３番目の電子ペーパー３ｃのメモリに既に記憶されている文書データを一番奥の電子ペーパー３ｆのメモリに移動する。（ｉｖ）手前から４番目（奥から３番目）の電子ペーパー３ｄのメモリに既に記憶されている文書データを一番奥の電子ペーパー３ｆのメモリに移動する。（ｖ）奥から２番目の電子ペーパー３ｅのメモリに既に記憶されている文書データを一番奥の電子ペーパー３ｆのメモリに移動する。
【００７４】
続いて、一番奥の電子ペーパーの容量が上限値に達したか否かが判断される（ステップＳ２０５）。本変形例では、各電子ペーパー３ａ〜３ｅから文書データが移動される一番奥の電子ペーパー３ｆについて、当該電子ペーパー３ｆのメモリ３２の容量が上限値に達したか否かが判断される。
【００７５】
一番奥の電子ペーパーの容量が上限値に達していないと判断される場合（ステップＳ２０５：ＮＯ）、文書データの移動が完了したか否かが判断される（ステップＳ２０６）。文書データの移動が完了したと判断される場合（ステップＳ２０６：ＹＥＳ）、ステップＳ２０８の処理に移行する。一方、文書データの移動が完了していないと判断される場合（ステップＳ２０６：ＮＯ）、ステップＳ２０５の処理に戻る。
【００７６】
一方、ステップＳ２０５に示す処理において、一番奥の電子ペーパーの容量が上限値に達したと判断される場合（ステップＳ２０５：ＹＥＳ）、残りの電子ペーパーからの文書データの移動が中止される（ステップＳ２０７）。本変形例では、一番奥の電子ペーパー３ｆへの残りの電子ペーパーからの文書データの移動が中止される。
【００７７】
そして、最前面の電子ペーパーに文書データが送信され（ステップＳ２０８）、処理が終了される。
【００７８】
以上のとおり、図８に示されるフローチャートの処理によれば、ＭＦＰ１から送信された文書データが受信される場合、各電子ペーパー３ａ〜３ｅのメモリ３２に既に記憶されている文書データが、一番奥の電子ペーパー３ｆのメモリ３２に移動される。そして、最前面の電子ペーパー３ａのメモリ３２に、受信された文書データが記憶される。
【００７９】
なお、本変形例では、一番奥の電子ペーパー３ｆのメモリ３２の容量が上限値に達した場合、残りの電子ペーパーからの文書データの移動が中止された。しかしながら、一番奥の電子ペーパー３ｆのメモリ３２の容量が上限値に達した場合、奥から２番目の電子ペーパー３ｅのメモリ３２に、残りの電子ペーパーから文書データが移動されてもよい。
【００８０】
（第２の実施形態）
次に、図９〜図１２を参照して、本発明の第２の実施形態について説明する。本実施形態は、電子ペーパー自身が、文書データを記憶すべきか否かを判断する実施形態である。
【００８１】
図９は、本発明の第２の実施形態に係る情報閲覧システムの構成を示す概略図である。本実施形態の情報閲覧システムは、ＭＦＰ１と、複数の電子ペーパー３ａ〜３ｃとを有する。複数の電子ペーパー３ａ〜３ｃは相互に対面するように重なって配置されており、無線通信により相互に通信可能に構成されている。また、ＭＦＰ１と電子ペーパー３ａ〜３ｃとも、無線通信により通信可能に構成されている。なお、ＭＦＰ１および電子ペーパー３ａ〜３ｃが無線通信により通信可能である点を除いては、本実施形態に係るＭＦＰ１および電子ペーパー３ａ〜３ｃの構成は、第１の実施形態の構成と同様であるため、詳細な説明は省略する。
【００８２】
本実施形態では、複数の電子ペーパーのうちの一の電子ペーパー（たとえば、電子ペーパー３ｂ）に対して、ＭＦＰ１から文書データの記憶依頼信号が送信される。文書データの記憶依頼信号を受信した電子ペーパーにより第１データ記憶処理が実行される。
【００８３】
図１０は、電子ペーパー３ａ〜３ｃにより実行される第１データ記憶処理の手順を示すフローチャートである。なお、図１０のフローチャートにより示されるアルゴリズムは、各電子ペーパー３ａ〜３ｃのメモリ３２にプログラムとして記憶されており、ＣＰＵ３１によって実行される。
【００８４】
まず、文書データの記憶依頼が受信される（ステップＳ３０１）。本実施形態では、ＭＦＰ１から送信された文書データの記憶依頼信号が受信される。
【００８５】
続いて、電子ペーパーが下に存在するか否かが判断される（ステップＳ３０２）。本実施形態では、自己の電子ペーパーの下側（第２面側）に他の電子ペーパーが存在するか否かが判断される。たとえば、電子ペーパー表面に備えられたタッチセンサー（不図示）と内蔵のジャイロセンサー（不図示）とを用いて、自己の電子ペーパーの下に他の電子ペーパーが存在するか否かが判断される。
【００８６】
電子ペーパーが下に存在すると判断される場合（ステップＳ３０２：ＹＥＳ）、一つ下の電子ペーパーに記憶依頼受信通知が送信され（ステップＳ３０３）、処理が終了される。本実施形態では、ＭＦＰ１から記憶依頼信号を受信したことを下の電子ペーパーに通知する記憶依頼受信通知が、一つ下の電子ペーパーに送信される。
【００８７】
一方、ステップＳ３０２に示す処理において、電子ペーパーが下に存在しないと判断される場合（ステップＳ３０２：ＮＯ）、電子ペーパーが上に存在するか否かが判断される（ステップＳ３０４）。たとえば、電子ペーパー表面に備えられたタッチセンサー（不図示）と内蔵のジャイロセンサー（不図示）とを用いて、自己の電子ペーパーの上側（第１面側）に他の電子ペーパーが存在するか否かが判断される。
【００８８】
電子ペーパーが上に存在しないと判断される場合（ステップＳ３０４：ＮＯ）、ＭＦＰ１から文書データが受信され（ステップＳ３０５）、処理が終了される。本実施形態では、自己の電子ペーパー以外に電子ペーパーが存在しないとして、ＭＦＰ１から文書データが受信される。受信された文書データは、メモリに記憶される。
【００８９】
一方、ステップＳ３０４に示す処理において、電子ペーパーが上に存在すると判断される場合（ステップＳ３０４：ＹＥＳ）、上の電子ペーパーが保持している文書データの受信が開始される（ステップＳ３０６）。本実施形態では、自己の電子ペーパーが一番下の電子ペーパーであるとして、一つ上の電子ペーパーのメモリに既に記憶されている文書データの受信が開始される。受信された文書データは、メモリに記憶される。
【００９０】
そして、上の電子ペーパーの文書データがすべて受信された時点、または、メモリの容量が上限値に達した時点で一つ上の電子ペーパーに受信完了通知が送信され（ステップＳ３０７）、処理が終了される。本実施形態では、ステップＳ３０６に示す処理で受信が開始された文書データがすべて受信された時点、または、受信された文書データが記憶されるメモリの容量が上限値に達した時点で、文書データの受信が完了したことを通知する受信完了通知が一つ上の電子ペーパーに送信される。
【００９１】
以上のとおり、図１０に示されるフローチャートの処理によれば、ＭＦＰ１から文書データの記憶依頼信号を受信した電子ペーパーは、自己の電子ペーパーの上下に他の電子ペーパーが存在するか否かを判断する。自己の電子ペーパーの上下に電子ペーパーが存在しないと判断する場合には、ＭＦＰ１から文書データを受信してメモリに記憶する。一方、自己の電子ペーパーの上にのみ他の電子ペーパーが存在すると判断する場合には、一つ上の電子ペーパーのメモリに記憶されている文書データを受信して記憶する。また、自己の電子ペーパーの下に他の電子ペーパーが存在すると判断する場合には、一つ下の電子ペーパーに記憶依頼受信通知を送信する。
【００９２】
次に、図１１を参照して、一つ上の電子ペーパーから記憶依頼受信通知を受信した電子ペーパーの動作について説明する。
【００９３】
図１１は、電子ペーパー３ａ〜３ｃにより実行される第２データ記憶処理の手順を示すフローチャートである。なお、図１１のフローチャートにより示されるアルゴリズムは、各電子ペーパー３ａ〜３ｃのメモリ３２にプログラムとして記憶されており、ＣＰＵ３１によって実行される。
【００９４】
まず、記憶依頼受信通知が受信される（ステップＳ４０１）。本実施形態では、図１０のステップＳ３０３に示す処理で一つ上の電子ペーパーから送信された記憶依頼受信通知が受信される。
【００９５】
続いて、電子ペーパーが下に存在するか否かが判断される（ステップＳ４０２）。電子ペーパーが下に存在すると判断される場合（ステップＳ４０２：ＹＥＳ）、一つ下の電子ペーパーに記憶依頼受信通知が送信され（ステップＳ４０３）、処理が終了される。
【００９６】
一方、電子ペーパーが下に存在しないと判断される場合（ステップＳ４０２：ＮＯ）、自己の電子ペーパーが一番下の電子ペーパーであるとして、上の電子ペーパーが保持している文書データの受信が開始される（ステップＳ４０４）。
【００９７】
そして、上の電子ペーパーの文書データがすべて受信された時点、または、メモリの容量が上限値に達した時点で一つ上の電子ペーパーに受信完了通知が送信され（ステップＳ４０５）、処理が終了される。
【００９８】
以上のとおり、図１１に示されるフローチャートの処理によれば、一つ上の電子ペーパーから記憶依頼受信通知を受信した電子ペーパーは、自己の電子ペーパーの下にさらに電子ペーパーが存在するか否かを判断する。自己の電子ペーパーの下に電子ペーパーが存在しないと判断する場合には、一つ上の電子ペーパーのメモリに記憶されている文書データを受信して記憶する。一方、自己の電子ペーパーの下にさらに電子ペーパーが存在すると判断する場合には、一つ下の電子ペーパーに記憶依頼受信通知を送信する。
【００９９】
一つ上の電子ペーパーから記憶依頼受信通知を受信した電子ペーパーが、図１１に示されるフローチャートの処理を実行することにより、文書データの記憶依頼信号を受信した電子ペーパーから一番下の電子ペーパーまで、記憶依頼受信通知が順番に送信される。そして、記憶依頼受信通知を受信した一番下の電子ペーパーは、一つ上の電子ペーパーの文書データを受信し、受信完了通知を一つ上の電子ペーパーに送信する。
【０１００】
以下、図１２を参照して、下の電子ペーパーから受信完了通知を受信した電子ペーパーの動作について説明する。
【０１０１】
図１２は、電子ペーパー３ａ〜３ｃにより実行される第３データ記憶処理の手順を示すフローチャートである。なお、図１２のフローチャートにより示されるアルゴリズムは、各電子ペーパー３ａ〜３ｃのメモリ３２にプログラムとして記憶されており、ＣＰＵ３１によって実行される。
【０１０２】
まず、受信完了通知が受信される（ステップＳ５０１）。本実施形態では、図１０のステップＳ３０７または図１１のステップＳ４０５に示す処理で一つ下の電子ペーパーから送信された受信完了通知が受信される。
【０１０３】
続いて、一つ下の電子ペーパーに送信された文書データが削除される（ステップＳ５０２）。本実施形態では、図１０のステップＳ３０６または図１１のステップＳ４０４に示す処理で一つ下の電子ペーパーに送信された文書データが、メモリから削除される。
【０１０４】
続いて、電子ペーパーが上に存在するか否かが判断される（ステップＳ５０３）。電子ペーパーが上に存在すると判断される場合（ステップＳ５０３：ＹＥＳ）、上の電子ペーパーが保持している文書データの受信が開始される（ステップＳ５０４）。
【０１０５】
そして、上の電子ペーパーの文書データがすべて受信された時点、または、メモリの容量が上限値に達した時点で一つ上の電子ペーパーに受信完了通知が送信され（ステップＳ５０５）、処理が終了される。
【０１０６】
一方、ステップＳ５０３に示す処理において、電子ペーパーが上に存在しないと判断される場合（ステップＳ５０３：ＮＯ）、一番上の電子ペーパーである旨の通知がＭＦＰ１に送信される（ステップＳ５０６）。本実施形態では、ＭＦＰ１に対して、自己の電子ペーパーが一番上に配置される電子ペーパーであることを示す通知が送信される。
【０１０７】
そして、ＭＦＰ１から文書データが受信され（ステップＳ５０７）、処理が終了される。本実施形態では、ステップＳ５０６に示す処理で送信された通知に応答してＭＦＰ１から送信される文書データが受信される。受信された文書データは、メモリ３２に記憶される。
【０１０８】
以上のとおり、図１２に示されるフローチャートの処理によれば、一つ下の電子ペーパーから受信完了通知を受信した電子ペーパーは、自己の電子ペーパーの上に電子ペーパーが存在するか否かを判断する。自己の電子ペーパーの上に電子ペーパーが存在すると判断する場合には、一つ上の電子ペーパーのメモリに記憶されている文書データを受信し、受信完了通知を送信する。一方、自己の電子ペーパーの上に電子ペーパーが存在しないと判断する場合には、ＭＦＰ１から文書データを受信してメモリに記憶する。
【０１０９】
一つ下の電子ペーパーから受信完了通知を受信した電子ペーパーが、図１２に示されるフローチャートの処理を実行することにより、一番下の電子ペーパーから一番上の電子ペーパーまで順番に、一つ上の電子ペーパーのメモリに既に記憶されている文書データを受信して記憶する制御が行われる。そして、一つ下の電子ペーパー３ｂから受信完了通知を受信した一番上の電子ペーパー３ａは、ＭＦＰ１から文書データを受信してメモリ３２に記憶する。
【０１１０】
以上のとおり、本実施形態によれば、複数の電子ペーパーのうちのいずれか一つの電子ペーパーに記憶されるべき文書データが存在することが認識された場合、一番下の電子ペーパーから一番上の電子ペーパーまで順番に、各電子ペーパーの一つ上の電子ペーパーのメモリに記憶されている文書データを受信して記憶する制御が行われる。そして、一番上の電子ペーパー３ａが、ＭＦＰ１から文書データを受信してメモリ３２に記憶する。
【０１１１】
このような構成によれば、利用者が最も取りやすい最上部の電子ペーパー３ａに文書データが記憶されるため、利用者は、複数重ねられた電子ペーパーの中から、目的とする文書データが記憶された電子ペーパーを手間なく取り出して持って行くことができる。また、複数重ねられる電子ペーパーのうちのいずれか一つの電子ペーパーに文書データが送信されれば、一番上の電子ペーパー３ａに文書データが自動的に記憶されるので、利用者が電子ペーパーの位置を考慮して、送信先の電子ペーパーを指定する必要がない。
【０１１２】
また、上述した実施形態では、タッチセンサーとジャイロセンサーとを組み合わせて自己の電子ペーパーの上下に他の電子ペーパーが存在するか否かが判断されるため、複数重ねられる電子ペーパーの向き（表裏）が揃っていない場合であっても、一番上の電子ペーパー３ａに文書データが記憶される。一方、各電子ペーパーの向きが揃えて重ねられる（たとえば、各電子ペーパーの表示部３３が上を向くように複数の電子ペーパーが重ねられる）場合には、ジャイロセンサーが省略される。
【０１１３】
なお、上述した実施形態では、複数重ねられる各電子ペーパーのメモリに既に記憶されていた文書データは、一つ下の電子ペーパーのメモリに移動された。しかしながら、本実施形態とは異なり、各電子ペーパーのメモリに既に記憶されていた文書データは、一番下の電子ペーパー３ｃに移動されてまとめられてもよい。
【０１１４】
また、重ねられた複数の電子ペーパーの中にユーザー制限が設定されている電子ペーパーが存在する場合には、ユーザー制限が設定されている電子ペーパーを飛ばしてデータ記憶処理が実行される。また、文書データの移動先となる電子ペーパーのカラー属性または解像度が、文書データのカラー属性または解像度に非対応の場合には、対応する電子ペーパーに文書データが移動され、対応する電子ペーパーが存在しない場合には、文書データは移動元の電子ペーパーに維持される。また、ＭＦＰ１から送信される文書データのデータサイズが、一番上の電子ペーパー３ａのメモリ３２の容量を超える場合、容量を超える分の文書データは、一つ下の電子ペーパー３ｂのメモリ３２に記憶される。
【０１１５】
本発明は、上述した実施形態のみに限定されるものではなく、特許請求の範囲内において、種々改変することができる。
【０１１６】
たとえば、上述した第１の実施形態では、本発明のデータ記憶処理が、ドックにより実行される場合を例に挙げて説明した。しかしながら、本発明のデータ記憶処理は、ＭＦＰにより実行されてもよい。この場合、電子ペーパーに送信される前の文書データは、ドックのメモリではなく、ＭＦＰのメモリに保持される。
【０１１７】
また、上述した第１および第２の実施形態では、ＭＦＰにより生成された画像データが、文書データとして電子ペーパーのメモリに記憶された。しかしながら、電子ペーパーに記憶される文書データは、画像データに限定されるものではなく、ＰＤＦ（Ｐｏｒｔａｂｌｅ  Ｄｏｃｕｍｅｎｔ  Ｆｏｒｍａｔ）形式等の種々のデータであり得る。
【０１１８】
本実施形態にかかる情報閲覧システムにおける各種処理を行う手段および方法は、専用のハードウエア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、情報閲覧システムの一機能としてその装置のソフトウエアに組み込まれてもよい。
【符号の説明】
【０１１９】
１  ＭＦＰ、
１１，２１，３１  ＣＰＵ、
１２，２２，３２  メモリ、
１３  ハードディスク、
１４  操作パネル、
１５  画像読取部、
１６  画像形成部、
１７，２５  ネットワークＩ／Ｆ部、
１８，２６，３７  バス、
２  ドック、
２ａ，２ｂ，２ｃ，２ｄ，２ｅ，２ｆ  スロット、
２３  電子ペーパー充電部、
２４  電子ペーパーＩ／Ｆ部、
３ａ，３ｂ，３ｃ，３ｄ，３ｅ，３ｆ  電子ペーパー、
３３  表示部、
３４  操作部、
３５  電池、
３６  外部Ｉ／Ｆ部、
４  ネットワーク。
【図１】
2013127552.tif 000003
【図２】
2013127552.tif 000004
【図３】
2013127552.tif 000005
【図４】
2013127552.tif 000006
【図５】
2013127552.tif 000007
【図６】
2013127552.tif 000008
【図７】
2013127552.tif 000009
【図８】
2013127552.tif 000010
【図９】
2013127552.tif 000011
【図１０】
2013127552.tif 000012
【図１１】
2013127552.tif 000013
【図１２】
2013127552.tif 000014